【手続補正書】
【提出日】平成21年3月24日(2009.3.24)
【手続補正１】
【補正対象書類名】明細書
【補正対象項目名】０１１９
【補正方法】変更
【補正の内容】
【０１１９】
【図１】図１は、“仲間追跡機（Ｂｕｄｄｙ Ｔｒａｃｋｅｒ（登録商標））”ソフトウェア搭載の携帯電話上に表示される典型的な開始スクリーンのスクリーン画面である。
【図２Ａ】図２Ａは、“仲間監視”システムのブロック図を示す。
【図２Ｂ】図２Ｂは、監督関係および“仲間リスト”のマトリックス、またはウェブを図示する。
【図２Ｃ】図２Ｃは、スタートアップスクリーンの図である。
【図２Ｄ】図２Ｄは、ｍａｐｉｔページを示す。
【図２Ｅ】図２Ｅは、ｍａｐｉｔページを有効なユーザーのリストの下方にスクロールすることで得られる、マニュアルリフレッシュ等のための追加のオプションを示す。
【図２Ｆ】図２Ｆは、有効ユーザーのスクリーンである。
【図３】図３は、ユーザーインターフェース内の表示を表わし、電話の“仲間リスト”の個々人と“テニスチーム”と名づけられた仲間のグループを示している。
【図４】図４は、ユーザーインターフェースの表示であり、テニスチームの“仲間リスト”エントリーが選択された結果と、テニスチームのメンバーの一人が位置情報表示のために選択されたときの表示された情報を示す。
【図５】図５は、テニスチームグループの選択されたメンバーの位置が表示された地図を示すユーザーインターフェースの画面である。
【図６】図６は、テニスチームの選択されたメンバーの位置の履歴が表現された地図表現を示すユーザーインターフェースの画面である。
【図７】図７は、本発明を採用した典型的なシステムにおけるスクリーン図であり、選択されたグループのメンバーの位置と状態を示す。
【図８】図８は、ボックスをダブルクリックするかまたはいずれかの他の方法によってＤｅａｎが選択され、ボックス４８内のＭａｐｉｔコマンドが与えられたときに表示される内容を示すスクリーン画面である。
【図９】図９は、“即席の仲間”関係が設定された後の“即席の仲間”表示のスクリーン画面である。
【図１０】図１０は、ボックス内に“即席の仲間”のＩＤを構築するために本発明の教示を採用したシステムにおける典型的なスクリーン画面であり、ボックス７２内で“即席の仲間”に呼び出しＩＤ（即席の仲間の呼び出しＩＤ、または電話番号がデフォルトで用いられる）を与えている。
【図１１】図１１は、立ち往生した車の旅行者、パイロット、またはハイカーが９１１にコンタクトし、提供された“即席の仲間”を求めて呼び出しＩＤと通信事業者を入力した後に、少なくとも“即席の仲間”の電話に現れる表示のスクリーン図である。
【図１２】図１２は、本発明の方法と装置がピアツーピアの実施例で動作する、典型的な従来技術の携帯電話システムのインフラのブロック図である。
【図１３】図１３Ａおよび図１３Ｂを含む図１３は、監視リストの携帯電話間でＧＰＳ位置データを交換する方法のフローチャートである。
【図１４】図１４Ａ、図１４Ｂ、および図１４Ｃを含む図１４は、いくつかのモードを備えた実施例の処理のフローチャートである。
【図１５】図１５は、“即席の仲間関係”を構築するプロセスのフローチャートである。
【図１６】図１６は、本発明のインフラを提供するためにゲートウェイおよびインターネットのような広域ネットワークによって“仲間監視”サーバーに接続された典型的な携帯電話システムのブロック図である。
【図１７】図１７は、好ましい“即席の仲間の設定”プロセスのフローチャートである。
【図１８】図１８は、“即席の仲間の設定”プロセスに含まれるユーザーインターフェースの表示スクリーン画面である。
【図１９】図１９は、“即席の仲間の設定”プロセスに含まれるユーザーインターフェースの表示スクリーン画面である。
【図２０】図２０は、ｐｅｒｓｏｎａｌ ｂｒｅａｄ ｃｒｕｍｂｓモードを稼動させるプロセスと動作の仕方のフローチャートである。
【図２１】図２１は、ｐｅｒｓｏｎａｌ ｂｒｅａｄ ｃｒｕｍｂｓモードを構築し使用するプロセスの他の実施例のフローチャートである。
【図２２】図２２は、“即席の仲間”設定プロセスの好ましい実施例のフローチャートである。
【図２３】図２３は、仲間の位置の更新要請を受信するプロセスとそれを操作する他の実施例のフローチャートである。
【図２４】図２４は、デフォルトのスタートスクリーン画面と、ユーザーがスタートスクリーンへの行き来を進行案内できる他のいくつかのインターフェースス画面である。
【図２５】図２５は、ヘルプ画面であり、いかにして“新しい警告を見る”スクリーンに進行案内が達成されるかを示す。
【図２６】図２６は、他の複数のスクリーンのツリー構造を示し、それら他のスクリーンは、目標位置を追加する、目標位置に文字、声または写真で注を入れる、文字メッセージを追加する、写真を撮る命令や写真ファイルを見つけ出す命令を与える、目標に添付するボイスメッセージを記録する、すべての有効な仲間の位置の更新を要求する、すべての有効な仲間の位置をマッピングする、またはマッピングおよび位置更新の要請をする特定の仲間を選択するために使用することが出来る。
【図２７】図２７は、選択されたユーザーの位置をその履歴と共にマッピングし、そのユーザーに関する情報を与え、短い文字メッセージを送り、ボイスメッセージ、写真、“インスタントメッセンジャー”とのリンク、標的記号位置を記録および送信する等のために表示される多くの画面を示す。
【図２８Ａ】図２８Ａおよび図２８Ｂは、ｂｒｅａｄ ｃｒｕｍｂｓモードのＯＮまたはＯＦＦ、ｐｅｒｓｏｎａｌ ｂｒｅａｄ ｃｒｕｍｂｓ追跡のための秘密コード、およびユーザーがＯＫであることの証明、チェック時間切れの間隔の設定、ｐｅｒｓｏｎａｌ ｂｒｅａｄ ｃｒｕｍｂｓモードにおいて緊急時に電話する他のユーザーの電話番号とＥメールアドレスの確立、グループ名の追加、変更または削除、マッピングスクリーン半径の設定、リフレッシュ頻度および更新の設定、リフレッシュ時間、リフレッシュのためのデルタ位置（ｄｅｌｔａ ｐｏｓｉｔｉｏｎ）の変更などの設定を作りだすための、“仲間追跡器”ソフトウェアによって作られるユーザーインターフェース画面を示す。
【図２８Ｂ】図２８Ａおよび図２８Ｂは、ｂｒｅａｄ ｃｒｕｍｂｓモードのＯＮまたはＯＦＦ、ｐｅｒｓｏｎａｌ ｂｒｅａｄ ｃｒｕｍｂｓ追跡のための秘密コード、およびユーザーがＯＫであることの証明、チェック時間切れの間隔の設定、ｐｅｒｓｏｎａｌ ｂｒｅａｄ ｃｒｕｍｂｓモードにおいて緊急時に電話する他のユーザーの電話番号とＥメールアドレスの確立、グループ名の追加、変更または削除、マッピングスクリーン半径の設定、リフレッシュ頻度および更新の設定、リフレッシュ時間、リフレッシュのためのデルタ位置（ｄｅｌｔａ ｐｏｓｉｔｉｏｎ）の変更などの設定を作りだすための、“仲間追跡器”ソフトウェアによって作られるユーザーインターフェース画面を示す。
【図２９】図２９は、新しい仲間を創設するためのユーザーインターフェース画面を示し、交信経路およびこれを行うための許可プロトコルを示す。図１９は、以下にさらに述べるが、“即席の仲間”関係を開始し許可するスクリーンとプロトコルの代表例である。
【図３０】図３０は、閉鎖型の近隣グループ、開放型の近隣グループ等のためのマップルームを定義し、削除し、使用するためのユーザーインターフェース画面である。閉鎖型の近隣グループ用マップルームに対しては、リストされたユーザーは自分の好みで彼らがそのゾーンに居ることを自動的に入力する、または警告を受けるか、または手動で入力するかをセットできる。
【図３１】図３１は、携帯電話のトランシーバー操作を単純化するための“会話コントロール（Ｔａｌｋ Ｃｏｎｔｒｏｌ）”システムのブロック図である。
【図３２】図３２は、トランシーバー動作可能な携帯電話のユーザーがそれに続いてトランシーバー動作を可能にするために、会話グループへの参加を開始することが出来るプロセスのフロー図である。
【図３３】図３３は、ルビコンサーバーがユーザーを自動的に削除するプロセスのフローチャートである。
【図３４】図３４は、ルビコンサーバーが、監督者がユーザーを追加するのを許可するプロセスのフローチャートである。
【図３５】図３５は、監督者が会話グループのユーザーを編集するプロセスのフローチャートである。
【図３６】図３６は、監督者が会話グループからユーザーを削除するプロセスのフローチャートである。
【図３７】図３７は、監督者がトークンを発行するプロセスのフローチャートである。
【図３８】図３８は、好みを設定するプロセスのフローチャートである。
【図３９】図３９は、監督者が状態を要求することを可能にするプロセスのフローチャートである。
【図４０】図４０は、監督者がグループを創設するプロセスのフローチャートである。
【手続補正２】
【補正対象書類名】特許請求の範囲
【補正対象項目名】全文
【補正方法】変更
【補正の内容】
【特許請求の範囲】
【請求項１】
GPS（Grobal Positioning System）位置を第１の無線装置から一つ以上の第２の無線装置に送信する方法であって、
次の動作、すなわち、
位置更新要請を受信することと、
前記位置更新が送信される前記一つ以上の第２の無線装置のアドレスを参照することと、
GPS情報を読み取ることと、
暗号化されたGPS情報を作り出すために前記GPS情報を暗号化することと、前記暗号
化されたGPS情報を一つ以上のパケットのペイロード部分にメッセージプロトコルフォーマットでカプセル化することと、
前記位置更新が前記アドレスに基づいて送信される前記一つ以上の第２の無線装置に、前記一つ以上のパケットをアドレス指定することと、
前記一つ以上のパケットを前記第１の無線装置が登録されているセル内の送受信機に送信し、前記一つ以上のパケットは前記一つ以上の第２の無線装置にルーティングされること、
のうちの一つ以上の少なくとも一部を前記第１の無線装置において実行することを含む方法。
【請求項２】
前記第１の無線装置が登録されている前記セル内の前記送受信機に前記一つ以上のパケットを送信することは、
前記一つ以上のパケットの各々を予め決められたサイズのコードワードのビットグループに分解することと、
前記コードワードをインターリーブすることと、
各コードワードを複数のエラー検出ビットおよび修正ビットでエンコードすることと、
前記コードワードから送る符号を発生させることと、
を含む、請求項１記載の方法。
【請求項３】
前記位置更新要請を受信することは、位置更新を定期的に開始する前記第１の無線装置内のタイマーから前記位置更新要請を受信することを含む、請求項１記載の方法。
【請求項４】
前記位置更新要請を受信することは、現在のGPS位置を最後に報告されたGPS位置と比較し、位置が所定の量を超えるときはいつでも前記位置更新要請を発生させる前記第１の無線装置上で動作する処理から前記位置更新要請を受信することを含む、請求項１記載の方法。
【請求項５】
前記第１の無線装置に前記位置更新要請を受信することは、前記一つ以上の第２の無線装置の少なくとも一つから前記位置更新要請を受信することを含む、請求項１記載の方法。
【請求項６】
前記第１の無線装置から前記一つ以上の第２の無線装置の少なくとも一つへ位置更新要請を行うことと、
前記位置更新要請が行われた時刻に前記第１の無線装置内のタイマーをスタートさせることと、前記タイマーが、前記一つ以上の第２の無線装置の前記少なくとも一つから位置更新を受信することなく所定の時刻に達することに基づいて、前記一つ以上の第２の無線装置の前記少なくとも一つの位置の表示色を、前記一つ以上の第２の無線装置の前記少なくとも一つが携帯電話の範囲外にあるかまたは応答しないことを示す色に変えることと、をさらに含む、請求項１記載の方法。
【請求項７】
第２の無線装置において、第１の無線装置からGPS（Global Positioning System）位置を受信する方法であって、
次の動作、すなわち、
前記第２の無線装置にアドレス指定された一つ以上のパケットを含む信号を受信することと、
暗号化されたGPS情報を含む、前記一つ以上のパケットのパケットデータを再生することと、
前記一つ以上のパケットを再構成することと、
前記一つ以上のパケットのヘッダーデータを読み取ることと、
前記一つ以上のパケットを前記ヘッダーデータに基づいてGPS位置データ共有ソフトウェアアプリケーションにルーティングすることと、
前記GPS位置データ共有ソフトウェアアプリケーションにおいて、暗号解除されたGPS情報をもたらすために前記パケットデータ内の前記暗号化されたGPS情報を暗号解除することと、
前記一つ以上のパケットの前記ヘッダーデータに基づいて、GPS位置データが暗号解除された人の識別を判定することと、
前記暗号解除されたGPS情報に基づいて、前記人の表示された位置データを更新すること、
のうちの一つ以上の少なくとも一部を前記第２の無線装置において実行することを含む方法。
【請求項８】
前記第２の無線装置のユーザーからmap itコマンドを受信することと、
前記第２の無線装置の位置が表示可能な地理領域の地図を表示することと、
前記暗号解除されたGPS情報に基づいて、前記人の位置の対照ポイントおよび他の標識の少なくとも一つを配置することと、
をさらに含む、請求項７記載の方法。
【請求項９】
第１の装置において、第２の装置から前記第１の装置の地理上の位置を求める要請を受信することと、
前記第１の装置において、前記第１の装置の前記地理上の位置に対応する第１の位置データを受信することと、
前記第１の装置から、前記第２の装置に前記第１の位置データを通信することと、
前記第１の装置から、前記第２の装置の地理上の位置に対応する第２の位置データを求める要請を通信することと、
前記第１の装置において、前記第２の装置の前記地理上の位置に対応する前記第２の位置データを受信することと、
を含む方法。
【請求項１０】
第１の装置から第２の装置へのアドレスを含む第１の位置データを受信し、
前記第２の装置への前記アドレスに基づいて前記第１の位置データを前記第２の装置に通信し、
前記第２の装置の地理上の位置に対応する第２の位置データを求める要請を前記第２の装置に通信し、
前記第２の装置から前記第１の装置へのアドレスを含む第２の位置データを受信し、
前記第１の装置への前記アドレスに基づいて前記第２の位置データを前記第１の装置に通信するためのサーバーを含むシステム。
【請求項１１】
位置更新要請を受信し、
前記位置更新が送信される一つ以上の第２の無線装置のアドレスを参照し、
GPS情報を読み取り、
暗号化されたGPS情報を作り出すために前記GPS情報を暗号化し、前記暗号化されたGPS情報を一つ以上のパケットのペイロード部分にメッセージプロトコルフォーマットでカプセル化し、
前記位置更新が前記アドレスに基づいて送信される前記一つ以上の第２の無線装置に、前記一つ以上のパケットをアドレス指定し、
前記一つ以上のパケットを第１の無線装置が登録されているセル内の送受信機に送信し、前記一つ以上のパケットは前記一つ以上の第２の無線装置にルーティングされる、
ためのモジュールを含む第１の無線装置。
【請求項１２】
前記モジュールはさらに、
前記一つ以上の第２の無線装置の少なくとも一つに位置更新要請を送信し、
前記一つ以上の第２の無線装置の前記少なくとも一つから位置更新情報を受信する
ためである、請求項１２記載の第１の無線装置。